(57)【要約】  【課題】  無線電話バイブレータ用モータのためのバイブレータ用モータのホルダを開示する。  【解決手段】  ホルダは、電話機のＩ／Ｏコネクタ上に一体に形成される。ホルダは、バイブレータ用モータを収容可能な装置挿入キャビィティで構成される。キャビィティの内壁は、挿入されるバイブレータ用モータに一致するように寸法決めされ、モータが収容された時に確実にぴったり接合される。キャビィティの進入ポートを横断して移動可能なロック片が設けられる。ロック片によって進入ポートの一部分を閉塞することにより、モータをキャビィティ内に十分に収容することができる。  【選択図】  図１
0003110205.tif 000002
【実用新案登録請求の範囲】
【請求項１】
無線電話内に搭載可能なバイブレータ用モータのハウジングであって、
側壁とキャビィティ内に延びるストッパを有し、前記キャビィティが前記バイブレータ用モータの少なくとも一部分を前記キャビィティ内に収容して固定可能なように、前記側壁の内部表面が収容される前記バイブレータ用モータの外面の横断面に略一致する横断面を形成するキャビィティと、
該キャビィティ内に前記バイブレータ用モータを該モータの回転軸方向に挿入可能な進入ポートと、
該進入ポートの少なくとも一部分を前記回転軸方向に垂直な方向に閉塞する位置に移動可能であり、挿入される前記バイブレータ用モータを前記ストッパとの間で前記挿入キャビィティ内に保持する保持装置で構成されるバイブレータ用モータのハウジング。
【請求項２】
前記保持装置は、前記進入ポートが閉塞されず前記バイブレータ用モータが前記キャビィティ内外へ自由に移動することができる開口位置と、前記進入ポートの少なくとも一部分が閉塞される閉塞位置との間で移動可能であって、前記バイブレータ用モータの前記キャビィティ内外への移動を防止するラッチであることを特徴とする請求項１に記載のハウジング。
【請求項３】
溝を有し、該溝内で前記ラッチの少なくとも一部分が、前記開口位置と前記閉塞位置との間で摺動可能であることを特徴とする請求項２に記載のハウジング。
【請求項４】
前記バイブレータ用モータの対応する端子と電気的に係合可能な端子を有し、該端子は前記キャビィティに近接して位置し、前記バイブレータ用モータの前記キャビィティ内への完全な挿入時に、前記バイブレータ用モータの前端縁が前記ストッパに係合した時に、前記キャビィティに近接した端子と前記バイブレータ用モータの端子が電気係合することを特徴とする請求項１に記載のハウジング。
【請求項５】
前記ハウジングは、電気コネクタ上に一体に形成され、該電気コネクタは前記ハウジングの電話機への取り付けを行うことができる取付手段を有することを特徴とする請求項１に記載のハウジング。
【請求項６】
前記電気コネクタは、マイクロホンを収容可能な取付手段を有することを特徴とする請求項５に記載のハウジング。
【請求項７】
前記電気コネクタは電力コネクタから成り、該電力コネクタは電源と接合可能であることを特徴とする請求項５に記載のハウジング。
【請求項８】
前記電源はバッテリ再充電源であり、前記電源の前記電力コネクタとの接続により無線電話内でバッテリの再充電を行うことを特徴とする請求項７に記載のハウジング。
【請求項９】
側壁とキャビィティ内に延びるストッパを有しバイブレータ用モータが該モータの回転軸方向に挿入されるキャビィティを備え、該キャビィティ内にバイブレータ用モータを支持できるように前記側壁の内部表面が前記バイブレータ用モータの外周面の横断面に略一致する横断面を形成し、前記キャビィティの壁が前記キャビィティの一側に前記バイブレータ用モータを前記キャビィティ内に配置可能な進入ポートを規定するハウジングと、
前記進入ポートに近接した前記ハウジングのスロット内に挿入可能なロック片であって、該ロック片の前記スロット内への挿入により、前記進入ポートの少なくとも一部分を前記回転軸方向に垂直な方向に閉塞し、前記バイブレータ用モータの前記キャビィティからの移動を防止し、前記ストッパで前記バイブレータ用モータを収容位置で保持するロック片で構成されるバイブレータ用モータを搭載する電気コネクタ。
【請求項１０】
前記バイブレータ用モータの端子に係合可能である前記キャビィティに近接した端子を有し、該キャビィティに近接した端子は、前記バイブレータ用モータの前記キャビィティ内への完全な挿入時に、前記バイブレータ用モータの前端縁が前記ストッパに係合した時に、前記キャビィティに近接した端子と前記バイブレータ用モータの端子が電気係合するように配置されることを特徴とする請求項９に記載の電気コネクタ。
【請求項１１】
前記ロック片は、前記進入ポートが閉塞されず前記バイブレータ用モータを前記キャビィティから挿抜可能である開口位置と、前記進入ポートが閉塞される閉塞位置との間で前記スロット内で摺動可能であることを特徴とする請求項９に記載の電気コネクタ。
【請求項１２】
前記ロック片を金属から打ち抜き成形することを特徴とする請求項１１に記載の電気コネクタ。
【請求項１３】
前記ロック片を前記ハウジングと一体に形成することを特徴とする請求項１１に記載の電気コネクタ。
【請求項１４】
前記電気コネクタの無線電話内への取り付けを行うことができる取付手段を有することを特徴とする請求項９に記載の電気コネクタ。
【請求項１５】
電話機の本体部内でプリント回路基板に電気的に接続可能であって、前記電気コネクタおよび前記プリント回路基板と接合する可撓性ケーブルによって電気接続を行うことを特徴とする請求項１４に記載の電気コネクタ。
【請求項１６】
電話機のベース部に対して略平行に配置される接続端子を有し、前記電気コネクタに近接して規定される孔または開口部を有する前記可撓性ケーブルにより、該可撓性ケーブルに小さな曲げ半径を有する折曲部を形成することができ、前記可撓性ケーブルの端部が前記電気コネクタの前記接続端子と接合可能となることを特徴とする請求項１５に記載の電気コネクタ。
【請求項１７】
外周面と、該外周面に対して略平行な長手方向軸線を有するバイブレータ用モータ搭載用電気コネクタであって、
前記バイブレータ用モータをキャビィティで支持可能なように前記バイブレータ用モータの前記外周面の横断面に一致する横断面を形成するキャビィティを有し、該キャビィティの軸線が前記バイブレータ用モータの回転軸方向軸線に対して平行であるハウジングと、
前記バイブレータ用モータの端子に係合するように設計された前記キャビィティに近接した端子と、
前記バイブレータ用モータが最終位置に位置した時に前記キャビィティに近接した端子と前記バイブレータ用モータの端子が互いに電気係合するように、該モータが前記キャビィティの最終位置に完全に挿入された時に、前記バイブレータ用モータの一部分に接合可能なように前記キャビィティ内に延びるストッパと、
前記回転軸方向の軸線に対して垂直な方向に前記ハウジングのスロット内に挿入可能であって、前記バイブレータ用モータの前記キャビィティからの移動を防止し、前記ストッパで前記バイブレータ用モータを最終位置で保持するロック片で構成されるバイブレータ用モータ搭載用電気コネクタ。
【請求項１８】
前記ロック片は前記スロット内にその一部分が挿入される位置に挿入可能であって、前記ロック片が前記バイブレータ用モータと係合しない状態では、前記バイブレータ用モータを前記キャビィティから挿抜することができることを特徴とする請求項１７に記載のバイブレータ用モータ搭載用電気コネクタ。
【請求項１９】
前記ロック片を金属から打ち抜き成形することを特徴とする請求項１７に記載のバイブレータ用モータ搭載用電気コネクタ。
【請求項２０】
前記ロック片を前記ハウジングと一体に形成することを特徴とする請求項１７に記載のバイブレータ用モータ搭載用電気コネクタ。
【請求項２１】
請求項９に記載の電気コネクタを有する無線電話。
【考案の詳細な説明】
【技術分野】
【０００１】
この考案は、バイブレータ用モータのハウジングに関するもので、特に無線電話のＩ／Ｏコネクタに一体に形成されるバイブレータ用モータのハウジング及び電気コネクタに関するものである。
【背景技術】
【０００２】
無線電話においてバイブレータ用モータは公知なものである。一般にバイブレータ用モータは、ユーザが着信呼により呼出音が起動されることを望まず、電話を振動モードに切り換える場合に使用される。振動モードにおいて、着信呼がモータを起動し、その結果として生じる振動をユーザが着信呼であると感知する。
【０００３】
現存のバイブレータ用モータは、電話機のケーシングへの組み込みが困難なものである。また、一般にモータをハウジングにロックする手段はモータの起動の結果生じる振動に対抗することができないため、一旦組み込まれたバイブレータ用モータを保持することも困難なことである。電話機のケーシング内でこのようなモータの緩みが生じた場合には、電話機自体またはケーシング内の他の部品に損傷を与える可能性がある。また、現存のバイブレータ用モータのホルダは、振動を十分にケーシングおよびユーザに伝達しないため、電話機のユーザが振動や振動を引き起こす呼出しを逃す可能性が生じることに問題がある。
【０００４】
一般に、公知のバイブレータ用モータは、モータをクリップでケーシング内の対応するホルダに固定することによってケーシング内に内蔵されている。バイブレータ用モータのために特に設計されたものではないが、他の公知のホルダが、本出願人が所有するアメリカ特許第５，２１１，５７９号および５，８３０，００７号と、ホワイテイカーコーポレーション(Whitaker Corporation)に譲渡されたアメリカ特許第５，５８６，９０７号および５，９８０，３０９号に開示されている。これらの全ての先行技術には、円筒状電気装置を搭載するコネクタが開示されている。
【０００５】
アメリカ特許第５，２１１，５７９号には、バッテリ用ホルダまたはハウジングが開示されている。ホルダは円筒状バッテリを収容可能となっており、バッテリはホルダ内にその長手方向軸線に対して垂直な方向に挿入される。バッテリは、一端部がバッテリの一端部に覆い被さる円形状ショルダによって適所に保持され、他端部がバッテリの反対端の突出部に係合する可撓性端子の凹部によって適所に保持されている。
【０００６】
アメリカ特許第５，５８６，９０７号にはバッテリコネクタの変形例が開示されており、このコネクタはディスク型バッテリを固定可能となっている。バッテリは、コネクタの軸線方向に対して平行な方向に挿入される。バッテリは、バッテリの円筒状壁を挟持する二本の対向した柔軟なロックアームによって適所に保持されている。
【０００７】
アメリカ特許第５，８３０，００７号において、マイクロホン装置がその長手方向軸線に対して平行な方向に挿入されている。可撓性ロックアームがマイクロホンの円周面に接触して、マイクロホンをハウジングに摩擦係合させる方向に付勢する。また、ロックアームは、マイクロホンの平面の一部分に覆い被さるフランジも有している。
【０００８】
アメリカ特許第５，９８０，３０９号には、ディスク型バッテリ用ホルダの変形例が開示されている。バッテリはホルダの長手方向軸線に対して平行な方向に挿入されている。バッテリは、装置の一側の外周端に覆い被さるフランジを有する一対の固定アームと、装置の反対側の外周端に覆い被さるフランジを有する一対の可撓性アームでハウジングに保持されている。
【考案の開示】
【考案が解決しようとする課題】
【０００９】
これらの公知のホルダは、特にバイブレータ用モータを保持するために設計されたものではないが、設計者はこのような目的のためにハウジングを適応させることを考慮に入れている可能性がある。これらのハウジングは活発に振動する装置の保持には適していないため、これらの装置を用いても、バイブレータ用モータの十分な保持を行うことはできないはずである。従って、保持位置内でバイブレータ用モータをしっかり保持可能であるバイブレータ用モータのホルダの必要性が生じている。
【課題を解決するための手段】
【００１０】
先行技術における問題を解決する本考案は、無線電話内に搭載可能であるバイブレータ用モータのハウジングを有するものである。ハウジングは、側壁とキャビィティ内に延びるストッパによって規定される装置挿入キャビィティを有している。側壁の内部表面は、収容されるバイブレータ用モータの外面の横断面に略一致する横断面を形成している。キャビィティは、バイブレータ用モータの少なくとも一部分を収容して固定することができる。進入ポートを介してキャビィティ内にバイブレータ用モータを該モータの回転軸方向に挿入する構成とすることができる。進入ポートの少なくとも一部分を前記回転軸に垂直な方向に閉塞する位置に移動可能なように保持装置が設けられ、挿入されたバイブレータ用モータが挿入キャビィティ内で保持される。保持装置が閉塞位置に移動された時に、挿入されたバイブレータ用モータはバイブレータ用モータの固定保持領域となるキャビィティ内にぴったりと収容される。
【００１１】
さらに、本考案は、側壁とキャビィティ内に延びるストッパによって規定されるキャビィティを有するハウジングで構成されるバイブレータ用モータ搭載用電気コネクタを提供するものである。壁の内面は、バイブレータ用モータをキャビィティで支持可能なようにバイブレータ用モータの外周面の横断面に略一致する横断面を形成している。キャビィティは、バイブレータ用モータを挿入可能な進入ポートを有している。ロック片は、進入ポートに近接したハウジングのスロット内に挿入可能である。ロック片をスロット内に挿入した時に、進入ポートの少なくとも一部分が閉塞され、バイブレータ用モータの挿入キャビィティからの移動を防止してバイブレータ用モータを収容位置で保持する。バイブレータ用モータは、無線電話の本体部内に搭載可能であることが好ましい。
【考案の効果】
【００１２】
ハウジング内でのバイブレータ用モータのいかなる振動も電話機の本体部に効果的に伝達されるように、電気コネクタを取り付けることによって電話機の本体部に対して電気コネクタが固定されしっかり保持される。
本考案の他の目的、特徴、利点は、添付の図面を参照して説明する以下の詳細な説明より明白となるであろう。
【考案を実施するための最良の形態】
【００１３】
図１乃至図４には、本考案による電気装置搭載用電気コネクタ１が示されている。図１には、電気装置が搭載されていないコネクタが示されている。コネクタは、電気装置挿入キャビィティ３を有するハウジング２を有している。キャビィティの壁４は、キャビィティ３内に挿入される電気装置８の外周面の横断面に略一致する横断面を形成する内部表面を有しているため、電気装置をキャビィティ内で支持することができる。キャビィティの壁４は、キャビィティの一面に進入ポート５を規定しており、進入ポートを介して電気装置をキャビィティ３内に配置することができる。キャビィティ内に延びているかまたはキャビィティの一端を規定するストッパ３５により、電気装置がキャビィティ内に完全に挿入された時に、電気装置８の底面の（図示しない）端子がキャビィティ３内に延びる電源端子３７と確実に適当に整列される。ロック片６は、進入ポート５に近接したハウジング２のスロット７内に挿入可能であって、ロック片６のスロット７内への挿入により、進入ポート５の少なくとも一部分が塞がれる。図示したように、ロック片６は金属で形成されているが、代わりの他の適当な材料を使用することもできる。
【００１４】
図２乃至図４には図１のコネクタの一部分が示されており、電気装置８がキャビィティ３内に徐々に挿入されているのが示されている。好ましくは、電気装置８は、ゴムスリーブによって包囲されているモータ本体部８ａと、モータを作動させた時に振動を引き起こす偏心シャフト８ｂを有するバイブレータ用モータである。例えば、この形式のバイブレータ用モータは、松下電器工業株式会社によって製造されたものである。図３において、ロック片６はスロット７内に挿入されているが、進入ポート５を塞ぐ位置には移動されていない。一旦、バイブレータ用モータ８が（図４に示したように）キャビィティ３内に完全に挿入されると、装置８の前端縁３６がストッパ３５と接触し、進入ポートの一部分を塞ぐようにロック片６がスロット７で進入ポート５を横断して摺動される構成とすることができる。進入ポートの閉塞により、そこに収容されるバイブレータ用モータがキャビィティ３から抜け落ちるのが防止され、装置を収容された位置で保持することができる。
【００１５】
好ましくは、電気コネクタ１は、無線電話で使用される入力／出力（Ｉ／Ｏ）コネクタである。従って、電気コネクタには、バイブレータ用モータのためのハウジング以外に複数の機能部品が組み込まれている。一般に、これらは、無線電話を再充電する電源と協動可能な再充電パッド９と、（図示しない）マイクロホン用ハウジング１０と、電気コネクタ１と無線電話の残りの部分との間で電気接続を行う複数の端子１１を含むものである。また、電気コネクタ１には、電気コネクタを無線電話内で固定可能な係合手段１２が設けられている。一般に、係合手段１２は、電気コネクタを電話機内で固定および保持するように、（図示しない）ネジまたはナットと共働するネジ孔である。さらに、自動車電源による再充電可能なＤＣ電源ポート３０および／またはステレオジャックコネクタ３１を設ける構成とすることもできる。
【００１６】
図５には、可撓性ケーブル１３の一部分がその上に実装された電気コネクタ１が示されている。可撓性ケーブル１３には、ケーブル１３の一部分である（図示しない）導電性条片に電気的に接続される複数の接続孔１４が設けられている。孔１４は、電気コネクタ１の端子１１に半田付け可能となっている。可撓性ケーブルは、電気コネクタ１を（図示しない）無線電話の残りの部分と電気的に接続させる。ケーブルの小さな曲げ半径によって占有される容積をより少なくすることができることは、当業者により理解されるであろう。さらに、可撓性ケーブル１３に複数の折り曲げ孔１５を設ける構成とすることができる。これらの孔１５により、孔１５の軸線に沿って折り曲げ領域を形成することができる。孔を設けることにより、確実に折り曲げ領域が小さな曲げ半径で形成され、占有する容積をより少なくすることができる。
【００１７】
図６には、図４の電気コネクタ１と可撓性ケーブル１３が組み合わされ、折り曲げ領域または折曲部１６が形成されたものが示されている。一般に、折曲部１６は、０．５ｍｍ〜１．０ｍｍの範囲、より好ましくは約０．８ｍｍの範囲の小さな曲げ半径で形成されている。折り曲げ領域１６を設けることにより、電気コネクタ１およびケーブル１３の接続領域を可撓性ケーブル１３の主要部分１３ａに対して略垂直に形成することが可能となり、図７および８に示したように無線電話の内側部分内に装置を取り付ける場合に有利なものである。
【００１８】
図７および図８に示したように、電気コネクタ１は、取り付けネジ２０が電気コネクタ１の係合孔１２と共働して、電話機のケーシング１８のベース部１９に対して取り付けられて保持される。取り付けを行うために、予めバイブレータ用モータ８が固定された電気コネクタ１が電話機のケーシング１８内に配置され、ベース部１９を介して取り付けネジ２０を貫通させて、電気コネクタの共働する係合孔１２を介してネジを締め付けることにより保持される。それにより、電気コネクタ１は電話機のケーシング１８内にしっかり保持される。
【００１９】
本考案の精神または主な特徴から逸脱することなく、他の特定の形状で本考案を実施する構成とすることができることは、当業者にとって明らかなことであろう。従って、本考案の実施例は、全ての点において例示的なものであって限定的なものではないと考えられるべきであり、本考案は明細書中に記載された詳細に限定されるべきものではない。
【図面の簡単な説明】
【００２０】
【図１】コネクタのハウジング内に電気装置が取り付けられていない、本考案による電気コネクタの斜視図である。
【図２】電気装置とロック片の移動の概略が示されている、図１のコネクタを示す図である。
【図３】電気装置の一部分がハウジング内に配置されている、図２のコネクタの図である。
【図４】電気装置がハウジング内に収容されている、図３のコネクタの図である。
【図５】可撓性ケーブルコネクタがその上に実装されている、図４のコネクタの斜視図である。
【図６】折曲部がケーブルコネクタ内に形成されている、図５のコネクタおよびケーブル装置を示す図である。
【図７】電話機の本体部内に取り付けられた図６の装置を示す図である。
【図８】図７の組み立てられたコネクタの断面図である。
【図１】
0003110205.tif 000003
【図２】
0003110205.tif 000004
【図３】
0003110205.tif 000005
【図４】
0003110205.tif 000006
【図５】
0003110205.tif 000007
【図６】
0003110205.tif 000008
【図７】
0003110205.tif 000009
【図８】
0003110205.tif 000010